(57)【要約】      （修正有）【課題】小型で簡単に取り扱うことができる開封器具を提供する。【解決手段】開封器具は、例えば、第１板部１１と第２板部１２とが対向するように設けられた本体部１０を備えている。本体部１０は、少なくとも一部が中空状であり、一方向の一端部にタブを挿入するタブ用開口１３を有している。タブ用開口１３において、第２板部１２の開口端部は、第１板部１１の開口端部よりも先端側に突出している。第２板部１２は、少なくともタブ用開口１３の側において、第１板部１１側の側部よりも中央部の方が、第１板部１１から離間する方向に突出して形成されている。【選択図】図１
0003224161.tif 000002
【実用新案登録請求の範囲】
【請求項１】
蓋部にタブが取り付けられたイージーオープンエンドの缶蓋を開封する開封器具であって、
第１板部と第２板部とが対向するように設けられ、少なくとも一部が中空状の本体部を備え、
前記本体部は、一方向の一端部に前記タブを挿入するタブ用開口を有し、
前記タブ用開口において、前記第２板部の開口端部は、前記第１板部の開口端部よりも先端側に突出するように設けられ、
前記第２板部は、少なくとも前記タブ用開口の側において、前記第１板部側の側部よりも中央部の方が、前記第１板部から離間する方向に突出して形成されており、
前記第２板部の開口端部を前記蓋部と前記タブとの間に入れ、前記本体部のタブ用開口と反対側を持ち上げることにより前記タブを引き起こす
ことを特徴とする開封器具。
【請求項２】
前記第１板部又は前記第２板部には、一方向における中央部に、王冠を引っかけて抜くための栓抜き開口が設けられたことを特徴とする請求項１記載の開封器具。
【請求項３】
前記第１板部及び第２板部の少なくとも一部には、絵又は模様が描かれていることを特徴とする請求項１又は請求項２記載の開封器具。
【考案の詳細な説明】
【技術分野】
【０００１】
本考案は、イージーオープンエンドの缶蓋を開封するための開封器具に関する。
【背景技術】
【０００２】
現在、食品や飲料等の分野において、イージーオープンエンドの缶蓋が広く使用されている。イージーオープンエンドの缶蓋には、例えば、蓋部の一部のみが開口するパーシャルオープンエンドと、蓋部の全部が開口するフルオープンエンドの２種類があり、パーシャルオープンエンドには、プルタブ式とステイオンタブ式とがある。プルタブ式は、蓋部にスコア（切欠き）が入れられ、その部分にタブを取り付けた構造となっており、タブを引っ張ることで開口し、タブは蓋部の一部とともに本体から切り離されるものである。ステイオンタブ式は、蓋部にスコア（切欠き）が入れられ、リベットでその上部にタブを取り付けた構造となっており、タブを引っ張ることでスコア部分の金属片が押し込まれて開口し、タブは蓋部に残ったままで切り離されないものである。
【０００３】
これらのイージーオープンエンドの缶蓋では、タブを指先などを使って引き起こした後、タブに指を挿入して持ち上げたり、又は、タブを元に戻すように倒したりすることにより開封をする。しかし、タブと蓋部との間の隙間は狭いので、子供、女性、老人等の指先の力の弱い人、又は、つけ爪、長爪、短爪等の弱い爪の人にとっては、タブを引き起こして開封することが難しい場合があった。そこで、開封を補助する各種の開封器具が提案されている（例えば、特許文献１参照）。この開封器具は、前端にテコ端を有する細長形状のオープナー棒と、テコ端の後方棒部上部側に上方向に延伸するリング形状のハンドルとを備え、テコ端公報の棒部両側には外方向に延伸する保護板が設けられたものである。
【先行技術文献】
【特許文献】
【０００４】
【特許文献１】実用新案登録第３１６０１８２号公報
【考案の概要】
【考案が解決しようとする課題】
【０００５】
しかしながら、特許文献１に記載の開封器具は、テコ端が細く突出しているので、取り扱い時には手などを傷つけないように気を付けなければならず、また、ハンドル及び保護板があるので、大きさが大きくなり、持ち運び及び保管に場所をとってしまうという問題があった。
【０００６】
本考案は、このような問題に基づきなされたものであり、小型で簡単に取り扱うことができる開封器具を提供することを目的とする。
【課題を解決するための手段】
【０００７】
本考案の開封器具は、蓋部にタブが取り付けられたイージーオープンエンドの缶蓋を開封するものであって、第１板部と第２板部とが対向するように設けられ、少なくとも一部が中空状の本体部を備え、本体部は、一方向の一端部にタブを挿入するタブ用開口を有し、タブ用開口において、第２板部の開口端部は、第１板部の開口端部よりも先端側に突出するように設けられ、第２板部は、少なくともタブ用開口の側において、第１板部側の側部よりも中央部の方が、第１板部から離間する方向に突出するように形成されており、第２板部の開口端部を蓋部とタブとの間に入れ、本体部の反対側を持ち上げることによりタブを引き起こすものである。
【考案の効果】
【０００８】
本考案の開封器具によれば、本体部の一端部にタブ用開口を設け、第２板部の開口端部を第１板部の開口端部よりも先端側に突出させ、かつ、少なくともタブ用開口の側において、第２板部の第１板部側の側部よりも中央部の方を第１板部から離間する方向に突出して形成するようにしたので、第２板部の開口端部を蓋部とタブとの間に容易に入れることができ、タブ用開口にタブを容易に挿入することができる。よって、タブ用開口にタブを挿入したのち本体部の反対側を持ち上げることにより、タブを容易に引き起こすことができる。また、鋭い突起部がないので取り扱いが安全かつ容易とすることができ、更に、大きさも小さくすることができるので持ち運び及び保管を容易とすることができる。
【０００９】
加えて、第１板部又は第２板部の一方向における中央部に、王冠を引っかけて抜くための栓抜き開口を設けるようにすれば、栓抜きとしても用いることができる。
【００１０】
更にまた、第１板部及び第２板部の少なくとも一部に絵又は模様を描くようにすれば、見た目も綺麗で楽しくすることができる。
【図面の簡単な説明】
【００１１】
【図１】本考案の一実施の形態に係る開封器具の構成を表す図である。
【図２】図１に示した開封器具により開封する缶蓋の構成例を表す図である。
【図３】図１に示した開封器具の使用例を説明する図である。
【考案を実施するための形態】
【００１２】
以下、本考案の実施の形態について、図面を参照して詳細に説明する。
【００１３】
図１は、本考案の一実施の形態に係る開封器具の構成を表すものであり、（Ａ）は一面側から見た構成を表し、（Ｂ）は他面側から見た構成を表し、（Ｃ）はＩ−Ｉ線に沿った断面構成を拡大して表している。図２は開封器具により開封する缶蓋の一構成例を表すものである。図３は開封器具の使用例を説明するためのものである。この開封器具は、蓋部Ｍ１にタブＭ２が取り付けられたイージーオープンエンドの缶蓋Ｍを開封するものである。イージーオープンエンドの缶蓋Ｍは、蓋部Ｍ１の一部のみが開口するパーシャルオープンエンドでも、蓋部Ｍ１の全部が開口するフルオープンエンドでもよく、パーシャルオープンエンドは、プルタブ式でもステイオンタブ式でもよい。なお、図２ではパーシャルオープンエンドの缶蓋Ｍを示している。
【００１４】
開封器具は、例えば、第１板部１１と第２板部１２とが対向するように設けられた本体部１０を備えている。本体部１０は、少なくとも一部が中空状であり、一方向の一端部にタブＭ２を挿入するタブ用開口１３を有している。すなわち、本体部１０は、少なくとも一方向の一端部側が中空状となっている。本体部１０は、例えば、一方向の長さの方が、一方向に対して垂直方向の長さよりも長く形成されていることが好ましい。持ちやすくするためである。以下、一方向を長さ方向、一方向に対して垂直方向を幅方向と言う。本体部１０の長さ方向の長さは、例えば、７ｃｍから１３ｃｍ程度が好ましく、幅方向の長さは、例えば、２ｃｍから３．５ｃｍ程度が好ましい。
【００１５】
タブ用開口１３において、第２板部１２の開口端部は、第１板部１１の開口端部よりも先端側に突出するように設けられている。タブＭ２を挿入しやすくするためである。第２板部１２の開口端部の形状は限定されないが、例えば、第１板部１１側の両端部よりも中央部の方（なわち、幅方向の両端部よりも中央部の方）が先端側に突出していることが好ましく、曲線状に突出するように形成されていることが好ましい。取り扱い時に手などを傷づける恐れを小さくできるからである。タブ用開口１３における第２板部１２の開口端部の突出量は、最も突出している位置において、第１板部１１の開口端部よりも、例えば、３ｍｍから１ｃｍ程度であることが好ましい。この範囲内において、タブＭ２を挿入しやすく、また、挿入したタブＭ２を引き起こしやすいからである。
【００１６】
第２板部１２は、少なくともタブ用開口１３の側において、第１板部１１側の側部よりも中央部の方（すなわち、幅方向における側部よりも中央部の方）が、第１板部１１から離間する方向に突出して形成されている。タブＭ２を挿入しやすくするためである。第２板部１２の形状は限定されないが、例えば、図１（Ｃ）に示したように、幅方向に沿った断面において、曲線状に突出するように形成されていることが好ましい。第１板部１１は、平板状でもよく、また、第２板部１２と同様に、少なくともタブ用開口１３の側において、第２板部１２側の側部よりも中央部の方（すなわち、幅方向における側部よりも中央部の方）が、第２板部１２から離間する方向に突出して形成されていてもよい。タブ用開口１３における第１板部１１と第２板部１２との間の間隔は、例えば、３ｍｍから１ｃｍ程度であることが好ましい。この範囲内において、タブＭ２を挿入しやすく、また、挿入したタブＭ２を引き起こしやすいからである。
【００１７】
また、第１板部１１又は第２板部１２には、長さ方向における中央部に、王冠を引っかけて抜くための栓抜き開口１４が設けられていることが好ましい。栓抜きとしても用いることができるようにするためである。なお、図１では、第１板部１１に設けた場合について示している。栓抜き開口１４の幅方向の大きさは、例えば、２ｃｍから３．５ｃｍ程度が好ましく、第１板部１１又は第２板部１２の幅方向の長さに合わせて形成されていてもよい。栓抜き開口１４の長さ方向の大きさは、例えば、１．５ｃｍから２．５ｃｍ程度が好ましい。タブ用開口１３の開口端部から栓抜き開口１４のタブ用開口１３側の端部までの長さは、例えば、第１板部１１に設ける場合には、１．５ｃｍから３ｃｍ程度が好ましく、第２板部１２に設ける場合には、最も突出している位置との間で１．８ｃｍから４ｃｍ程度が好ましい。
【００１８】
栓抜き開口１４の一部には、王冠を引っかけるための突起部１５が設けられていることが好ましい。例えば、突起部１５は、栓抜き開口１４のタブ用開口１３と反対側に設けられていることが好ましい。
【００１９】
第１板部１１と第２板部１２とは、例えば、幅方向の両側部において接合されており、一体的に形成されていてもよい。第１板部１１及び第２板部１２は、例えば、鋼、鉄、又は、アルミニウム等よりなる金属板により構成されることが好ましい。第１板部１１及び第２板部１２の少なくとも一部には、絵又は模様が描かれていることが好ましい。見た目も綺麗で楽しくすることができるからである。また、本体部１０のタブ用開口１３と反対側には、例えば、装飾部１６が設けられていてもよい。例えば、図１においては、装飾部１６として、こけしの顔が設けられており、第２板部１２にこけしの胴体部の模様が描かれている場合について示している。更に、本体部１０のタブ用開口１３と反対側（図１に示した例では装飾部１６の先端部）には、例えば、紐などを取り付けるための孔１７が設けられていてもよい。紐などを取り付けることにより、引っかけて保管することができるからである。孔１７は、例えば、図１に示したように、装飾部１６から突出させてもうけるようにしてもよいが、装飾部１６の内側に設けるようにしてもよい。
【００２０】
この開封器具は、例えば、図３に示したように、第２板部１２の開口端部を蓋部Ｍ１とタブＭ２との間に入れ、本体部１０のタブ用開口１３と反対側を持ち上げることによりタブＭ２を引き起こすことができるようになっている。
【００２１】
このように本実施の形態によれば、本体部１０の一端部にタブ用開口１３を設け、第２板部１２の開口端部を第１板部１１の開口端部よりも先端側に突出させ、かつ、少なくともタブ用開口１３の側において、第２板部１２の第１板部１１側の側部よりも中央部の方を第１板部１１から離間する方向に突出して形成するようにしたので、第２板部１２の開口端部を蓋部Ｍ１とタブＭ２との間に容易に入れることができ、タブ用開口１３にタブＭ２を容易に挿入することができる。よって、タブ用開口１３にタブＭ２を挿入したのち本体部１０の反対側を持ち上げることにより、タブＭ２を容易に引き起こすことができる。また、鋭い突起部がないので取り扱いが安全かつ容易とすることができ、更に、大きさも小さくすることができるので持ち運び及び保管を容易とすることができる。
【００２２】
加えて、第１板部１１又は第２板部１２の一方向における中央部に、王冠を引っかけて抜くための栓抜き開口１４を設けるようにすれば、栓抜きとしても用いることができる。
【００２３】
更にまた、第１板部１１及び第２板部１２の少なくとも一部に絵又は模様を描くようにすれば、見た目も綺麗で楽しくすることができる。
【００２４】
以上、実施の形態を挙げて本考案を説明したが、本考案は上記実施の形態に限定されるものではなく、種々変形可能である。例えば、上記実施の形態では、各構成要素について具体的に説明したが、全ての構成要素を備えていなくてもよく、また、他の構成要素を備えていてもよい。
【符号の説明】
【００２５】
１０…本体部、１１…第１板部、１２…第２板部、１３…タブ用開口、１４…栓抜き開口、１５…突起部、１６…装飾部、１７…孔、Ｍ…缶蓋、Ｍ１…蓋部、Ｍ２…タブ
【図１】
0003224161.tif 000003
【図２】
0003224161.tif 000004
【図３】
0003224161.tif 000005